Podtech/llm-jp-corpus-v4-ja_patent huggingface dataset:
【手続補正書】
【提出日】平成16年6月7日(2004.6.7)
【手続補正１】
【補正対象書類名】特許請求の範囲
【補正対象項目名】全文
【補正方法】変更
【補正の内容】
【特許請求の範囲】
【請求項１】
開放頂部（７２）と、閉じた底部（７４）と、底部（７４）から頂部（７２）に延在する側壁（７６）とを有する第一の容器（７０）を含む植物栽培用のモジュール植物容器（１８０）であって、
第一の容器（７０）に嵌合するような大きさと形状にされた土を収容するための第二の容器（１７４）であって、該第二の容器（１７４）は、その底部（１８２）に複数のアパチャ（１８６）を有し、そこを通じて水が流れるようにし、前記第二の容器は側壁（１７８）に画定される窪みを有し、この窪みは底部壁（１８２）から側壁（１７８）の頂縁部へと延在し、第二の容器（１７４）を第一の容器（７０）に配置する場合、第一及び第二の容器（７０、１７４）のそれぞれの側壁（７６、１７８）の間に、第一の容器の頂上部（７２）から底部（７４）へとパイプ（８４）を延在させて収容する、第二の容器を含むことを特徴とする、モジュール植物容器（１８０）。
【請求項２】
第二の容器（１７４）及びインサート（１７６）は、軽量で使い捨て可能な材料から作製される、請求項１に記載の植物容器（１８０）。
【請求項３】
第二の容器（１７４）は、その頂上端部付近の側壁（１７８）に複数の孔（１９２）を含む、請求項１に記載の植物容器（１８０）。
【請求項４】
前記第一の容器（７０）は、第一の容器（７０）を第二の容器を収容するための上部（７９）と水を回収するための下部（８２）とに分割する第一の容器を横断する仕切り（７８）を有し、該仕切りは複数のアパチャ（１１４’）を有し、それを通じて水が交互に両方向に流れるようにされる、請求項１に記載の植物容器（１８０）。
【請求項５】
前記第一の容器は、該容器に取り付けられたパイプ（８４）を含み、該パイプは下部（８２）と流体連通し、第一の容器（７０）の底部（７４）近傍から仕切り（７８）を突き抜けて容器（７０）の頂部（７２）へと延在し、下部（８２）への加圧による水の導入及び下部（８２）からの真空作用による水の除去を交互に行なうようにする、請求項４に記載の植物容器（１８０）。
【請求項６】
請求項１に記載の植物容器（１８０）であって、プレート（１８８）とプレート（１８８）から上向きに延在する複数のスパイク部材（１９０）とを有するインサート（１７６）を更に含み、該スパイク部材は下部（１８２）の多数のアパチャ（１８４）を突き抜けて第二の容器（１７４）に挿入され、土と土に埋められた根を有する植物とを収容する第二の容器（１７４）を第一の容器（７０）に配置する以前に、第二の容器に収容されている土によって前記スパイク部材が固定される、植物容器（１８０）。
【手続補正２】
【補正対象書類名】明細書
【補正対象項目名】００１４
【補正方法】変更
【補正の内容】
【００１４】
本発明はその一様相において、上述の植物に水遣りを行う方法に使用するために構成された植物栽培用のモジュール植物容器が提供される。該モジュール植物容器は、開放頂部と、閉じた底部と、底部から頂部に延在する側壁とを有する第一の容器を含む。第一の容器の上部に適合するような大きさと形状にされた土を収容するために第二の容器が提供される。第二の容器は、その底部に複数のアパチャを有し、そこを通じて水が流れるようになっている。第二の容器の側壁は窪みを有し、この窪みは底部壁から側壁の頂縁部へと延在し、第二の容器を第一の容器内に配置する場合、第一の容器と第二の容器のそれぞれの側壁の間に、第一の容器の頂部から底部へとパイプを延在させて収容するようにしている。
【手続補正３】
【補正対象書類名】明細書
【補正対象項目名】００１５
【補正方法】変更
【補正の内容】
【００１５】
第一の容器は、第一の容器を第二の容器を収容するための上部と水を回収するための下部とに分割するための第一の容器を横断する仕切りを有することが好ましい。この仕切りは複数のアパチャを有し、それを通じて水が交互に両方向に流れるようにされる。
【手続補正４】
【補正対象書類名】明細書
【補正対象項目名】００１６
【補正方法】削除
【補正の内容】
【手続補正５】
【補正対象書類名】明細書
【補正対象項目名】００１７
【補正方法】削除
【補正の内容】
【手続補正６】
【補正対象書類名】明細書
【補正対象項目名】００１８
【補正方法】削除
【補正の内容】
【手続補正７】
【補正対象書類名】明細書
【補正対象項目名】００１９
【補正方法】削除
【補正の内容】
【手続補正８】
【補正対象書類名】明細書
【補正対象項目名】００２０
【補正方法】変更
【補正の内容】
【００２０】
本発明は、最適で水溢れのない水遣り方法を有利に提供する。鉢の底から頂部へと水を導入すれば、鉢中の土の上の部分がいつ冠水状態になるかを容易に観察することができるため、水溢れの危険性を低減させることができる。冠水した土は完全に水が飽和した状態である。土に吸収されない余分な水は容易に完全に鉢から除かれるか、或いは部分的に除かれて、所定量の水を土の湿り気を維持するために残して、最適で水溢れのない水遣りが達成される。この満水・排水式水遣り方法は容易に変更を加えて、市販商品としての植木鉢に適用することができる。とはいうものの、本発明に係る植物容器は、満水・排水式水遣り方法を簡便に実施できる。
【手続補正書】
【提出日】平成17年4月28日(2005.4.28)
【手続補正１】
【補正対象書類名】特許請求の範囲
【補正対象項目名】請求項１
【補正方法】変更
【補正の内容】
【請求項１】
抗体又はその誘導体からなる物質であって、該抗体はＩｇＥサブクラスに属し、且つ、ヘベインのアレルゲン性エピトープに結合特異性を有するモノクローナル抗体又はその機能的フラグメントと定義される、ヘベイン結合性物質。
【手続補正書】
【提出日】平成16年7月5日(2004.7.5)
【手続補正１】
【補正対象書類名】特許請求の範囲
【補正対象項目名】全文
【補正方法】変更
【補正の内容】
【特許請求の範囲】
【請求項１】
バックル式留金を備えたブレスレットであって、
第一の薄板（７）と、
前記第一の薄板と連結した少なくとも一つの第二の薄板（８）と、
蓋（４）とを含んでおり、
第一の薄板（７）の自由端はブレスレットの第一のベルト（１，２）と連結しており、
第二の薄板（８）の自由端は前記蓋（４）と連結しており、
前記蓋（４）はブレスレットの第二のベルトとつながっており、
前記蓋は係止機構（５）を含み、該係止機構は、前記第一および第二の薄板を閉鎖位置に保持すること、また前記係止機構に手で作用して該薄板を開放し、前記留金を開くことを可能にするものであり、
前記蓋は、収納部（４）および、前記蓋を閉めるカバー（６）を含み、
収納部の壁面は、互いの間でおよび前記カバーによって、前記係止機構が少なくとも部分的に収められる内部空間（４５；９５）を画定するものであって、
前記収納部が、厚みが同じでない頑丈な壁面（４４，４６，４８；９４，９６，９８）を有すること、
および、前記薄板の自由端が、留金が閉まっているとき前記蓋の下に折り返されることを特徴とする、バックル式留金を備えたブレスレット。
【請求項２】
前記係止機構（５）が以下を含む、請求項１に記載のブレスレット：
少なくとも一つの保持機構（５００，５１０）であって、前記保持機構が閉鎖位置にあるときに、前記薄板（７，８）を互いに対して折り畳まれた位置に保持するためのもの、
少なくとも一つの弾性機構（５２，５３，５２０，５２１）であって、一つまたは複数の保持機構を閉鎖位置に強いるためのもの、
少なくとも一つの押しボタン（５４，５５）であって、一つまたは複数の弾性機構の力に逆らって作用し、押しボタンを押すことによって一つまたは複数の保持機構を開放するためのもの。
【請求項３】
前記カバーが、少なくとも一つの開口部（６０）をさらに含んでおり、前記一つまたは複数の保持機構（５００，５１０）が、前記開口部の縁によって留金の閉鎖位置と開放位置との間で誘導される、請求項２に記載のブレスレット。
【請求項４】
二つの押しボタン（５４，５５）を含み、前記二つの押しボタンが個別に動かされるときにのみ、前記一つまたは複数の保持機構が開放される、請求項２に記載のブレスレット。
【請求項５】
前記弾性機構が少なくとも一つの伸長可能なロッド（５２，５３）を含み、該伸長可能なロッドの両端のそれぞれが、異なる二つの押しボタン内の刳り貫き（５０，５１）の中に収められるようになるものであり、
前記少なくとも一つの保持機構が二つの鉤（５００，５１０）を含み、該二つの鉤が、それぞれ、前記押しボタン（５０，５１）の一つと連帯していて、前記閉鎖位置において前記薄板のうちの少なくとも一つにひっかかるものである、請求項２に記載のブレスレット。
【請求項６】
前記弾性機構が互いに平行な二つのロッド（５２，５３）を含む、請求項５に記載のブレスレット。
【請求項７】
前記係止機構（５）が、第二の薄板（８）の両側にある第一の薄板（７）に配置された係止手段（７２）と協働して、第二の薄板（８）の最大の長さを制限しないようにする、請求項１に記載のブレスレット。
【請求項８】
前記カバー（６）が、取り外しのできる仕方で前記収納部（４）に固定される、請求項１に記載のブレスレット。
【請求項９】
前記カバー（６）が、舌状部（６２）を含み、たとえ前記カバーのねじが抜けたときでも、該舌状部によって、前記留金が閉鎖位置にあるときはカバー（６）が前記収納部（４）から離れることができないようにする、請求項８に記載のブレスレット。
【請求項１０】
前記カバー（６）が、前記蓋の下面にしか見えないねじによって前記収納部（４）にビス留めされる、請求項８に記載のブレスレット。
【請求項１１】
前記カバー（６）が一定の厚みの金属板から形成される、請求項１に記載のブレスレット。
【請求項１２】
カバー（１０）がロッド（それぞれ９１、９２）によって前記収納部（９）に固定され、該ロッドによって、蓋（９，１０）を留金の第二の薄板（８）とブレスレットの第二のベルトとにそれぞれ組み合わせることができる、請求項１に記載のブレスレット。
【請求項１３】
前記ベルトが、それぞれ、複数の連結具（１，２）を含み、前記収納部の側面の縁の輪郭（４９）が、前記連結具（１，２）の側面の縁の輪郭（１０）と同じである、請求項１に記載のブレスレット。
【請求項１４】
前記ベルトが、それぞれ、連結具（１，２）の複数の列を含み、前記留金の幅および表面状態が、前記ブレスレットの連結具（１，２）の列の幅および表面状態と等しい、請求項１３に記載のブレスレット。
【手続補正書】
【提出日】平成16年3月31日(2004.3.31)
【手続補正１】
【補正対象書類名】特許請求の範囲
【補正対象項目名】全文
【補正方法】変更
【補正の内容】
【特許請求の範囲】
【請求項１】
リンパ球を活性化するための方法であって、樹状細胞の存在下にリンパ球をIL-2と接触させ、それによってリンパ球を活性化することを含む方法。
【請求項２】
前記リンパ球が免疫系のエフェクター細胞である、請求項1に記載の方法。
【請求項３】
前記リンパ球がNK細胞、NKT細胞、B細胞、またはT細胞である、請求項1に記載の方法。
【請求項４】
前記樹状細胞がリンパ球を含む対象にとって内因性である、請求項1に記載の方法。
【請求項５】
前記樹状細胞がランゲルハンス細胞、CD8α陽性、CD8α陰性、またはCD11c陽性である、請求項1に記載の方法。
【請求項６】
前記IL-2が樹状細胞にとって外因性である、請求項1に記載の方法。
【請求項７】
樹状細胞刺激と接触した対象において免疫反応を活性化する方法であって、有効量のIL-2を対象に投与することを含み、ここでIL-2が前記刺激によって刺激される樹状細胞と共同して免疫反応を活性化する方法。
【請求項８】
前記免疫反応が先天性または適応性免疫反応である、請求項7に記載の方法。
【請求項９】
前記樹状細胞刺激が樹状細胞におけるIL-2産生を誘導する、請求項7に記載の方法。
【請求項１０】
前記樹状細胞刺激が微生物刺激である、請求項7に記載の方法。
【請求項１１】
前記樹状細胞刺激がグラム+細菌、リポテイコ酸、グラム-細菌、LPS、メチル化されていないCpGモチーフを含むオリゴDNA、ザイモサン、酵母、および抗CD40抗体からなる群から選択される、請求項7に記載の方法。
【請求項１２】
樹状細胞におけるIL-2産生を誘導する方法であって、前記樹状細胞のトール様受容体を活性化する薬剤と前記樹状細胞とを接触させることを含む方法。
【請求項１３】
前記トール様受容体(TLR)がTLR2、TLR4、またはTLR9である、請求項12に記載の方法。
【請求項１４】
前記薬剤が微生物刺激である、請求項12に記載の方法。
【請求項１５】
前記薬剤がグラム+細菌、リポテイコ酸、グラム-細菌、LPS、メチル化されていないCpGモチーフを含むオリゴDNA、ザイモサン、酵母、および抗CD40抗体からなる群から選択される、請求項12に記載の方法。
【請求項１６】
細胞ベースの治療法のための樹状細胞を製造する方法であって、前記樹状細胞のトール様受容体を活性化する薬剤と前記樹状細胞とを接触させることを含み、該活性化が前記樹状細胞のIL-2産生を誘導するものである方法。
【請求項１７】
請求項16に記載の方法によって製造される樹状細胞。
【請求項１８】
樹状細胞成熟に影響を与える薬剤をスクリーニングする方法であって、被験薬剤の存在下および非存在下で微生物刺激および未成熟樹状細胞をインキュベートし、被験薬剤の存在下および非存在下で樹状細胞におけるIL-2発現を検出することを含み、ここで被験薬剤によって引き起こされるIL-2発現の量の増加または減少が樹状細胞成熟に影響を与える薬剤であることの指標である方法。
【請求項１９】
前記被験薬剤が、化合物、小分子、ポリヌクレオチド、およびポリペプチドからなる群から選択される、請求項18に記載の方法。
【請求項２０】
前記微生物刺激が、細菌、ウイルス、真菌性微生物、およびプリオンからなる群から選択される微生物である、請求項18に記載の方法。
【請求項２１】
前記未成熟樹状細胞がD1細胞である、請求項18に記載の方法。
【請求項２２】
樹状細胞成熟に影響を与える薬剤の能力をテストするのに有用なアッセイ系であって、被験薬剤、微生物刺激、および未成熟樹状細胞が入った容器を含み、樹状細胞のIL-2発現の検出を可能にする系。
【請求項２３】
前記被験薬剤が、化合物、小分子、ポリヌクレオチド、およびポリペプチドからなる群から選択される、請求項22に記載の系。
【請求項２４】
前記微生物刺激が、細菌、ウイルス、真菌性微生物、およびプリオンからなる群から選択される微生物である、請求項22に記載の系。
【請求項２５】
前記未成熟樹状細胞がD1細胞である、請求項22に記載の系。
【請求項２６】
微生物刺激に対応する樹状細胞成熟用遺伝子発現プロフィールのライブラリーを作成する方法であって、
未成熟樹状細胞を微生物刺激と共にインキュベートすること、
微生物刺激が遺伝子発現に変化を引き起こす樹状細胞中の遺伝子を識別すること、および
微生物刺激の遺伝子発現プロフィールであって、微生物刺激の存在下で樹状細胞における発現を変化させる1種または複数の遺伝子を含むプロフィールを作成すること
を含む方法。
【請求項２７】
前記樹状細胞がD1細胞である、請求項26に記載の方法。
【請求項２８】
前記微生物刺激が、細菌、ウイルス、真菌性微生物、およびプリオンからなる群から選択される微生物である、請求項26に記載の方法。
【請求項２９】
請求項26に記載の方法によって作成される遺伝子発現プロフィールライブラリーであって、コンピュータ可読形態であるライブラリー。
【請求項３０】
対象において免疫抑制性ウイルス感染に伴う免疫抑制を治療する方法であって、そのような治療を必要とする対象に有効量のIL-2および樹状細胞の活性化因子を投与することを含む方法。
【請求項３１】
前記免疫抑制性ウイルス感染がHIV感染である請求項30に記載の方法。
【請求項３２】
免疫抑制性ウイルス感染を治療する方法であって、そのような治療を必要とする対象に有効量のIL-2および樹状細胞の活性化因子を投与することを含む方法。
【請求項３３】
前記免疫抑制性ウイルス感染がHIV感染である、請求項32に記載の方法。
【請求項３４】
免疫抑制性ウイルス感染を治療するための治療剤候補をスクリーニングする方法であって、被験薬剤の存在下および非存在下において免疫抑制性ウイルス感染に関係する免疫抑制性ウイルスと樹状細胞とをインキュベートすること、樹状細胞活性化に特異的な活性のレベルを測定することを含み、前記被験薬剤によって引き起こされる活性レベルの増加が、免疫抑制性ウイルス感染を治療するための治療剤候補であることの指標である方法。
【請求項３５】
前記活性が、抗原取り込み、細胞表面タンパク質発現、微生物刺激に対する反応、サイトカインを産生する能力、およびT細胞を初回抗原刺激する能力からなる群から選択される、請求項34の記載の方法。
【請求項３６】
前記被験薬剤が、化合物、小分子、ポリヌクレオチド、およびポリペプチドからなる群から選択される、請求項34に記載の方法。
【請求項３７】
前記樹状細胞が未成熟樹状細胞である、請求項34に記載の方法。
【請求項３８】
前記樹状細胞がD1細胞である、請求項34に記載の方法。
【請求項３９】
前記免疫抑制性ウイルスがHIVである、請求項34に記載の方法。
【手続補正書】
【提出日】平成17年1月4日(2005.1.4)
【手続補正１】
【補正対象書類名】明細書
【補正対象項目名】０２２１
【補正方法】変更
【補正の内容】
【０２２１】
例８
甘味味覚受容体としてのヒトＴ１Ｒ２／Ｔ１Ｒ３
Ｇα１５を安定的に発現するＨＥＫ細胞を一過性にヒトＴ１Ｒ２、Ｔ１Ｒ３及びＴ１Ｒ２／Ｔ１Ｒ３でトランスフェクションし、そして増加するスクロースの濃度に反応する細胞内カルシウムの増加を検定した（図１Ａ）。また、Ｔ１Ｒ２／Ｔ１Ｒ３用量反応をいくつかの甘味刺激について測定した（図１Ｂ）。反応細胞の最大パーセントは異なる甘味剤に対して異なり、１０−３０％の範囲であった。明瞭にするために、用量反応は反応細胞の最大パーセントに対して正規化した。図１の値は４独立試験の平均±ｓ．ｅ．を示す。Ｘ軸の丸印は味覚検査により測定された精神生理学的検出閾値である。グルマリン（１０ｇ／ｌ  Ｇｙｍｎｅｍａ  ｓｙｌｖｅｓｔｒｅ水抽出液濾液の５０−全希釈）は２５０  ｍＭスクロースに対するＴ１Ｒ２／Ｔ１Ｒ３の反応を阻害したが、２０μＭイソプロテレノールに対する内在性β２−交感神経受容体の反応は阻害しなかった（図１Ｂ）。図１Ｃは異なる甘味剤（スクロース、アスパルテーム、トリプトファン及びサッカリン）に対するＴ１Ｒ２／Ｔ１Ｒ３共発現細胞系の正規化した反応を含む。
【手続補正２】
【補正対象書類名】明細書
【補正対象項目名】０２２３
【補正方法】変更
【補正の内容】
【０２２３】
例１０
ヒトＴ１Ｒ１／Ｔ１Ｒ３は旨味味覚受容体として機能する
Ｇα１５を安定的に発現するＨＥＫ細胞をＴ１Ｒ１，Ｔ１Ｒ３及びＴ１Ｒ１／Ｔ１Ｒ３で一過性にトランスフェクションし、増加する濃度のグルタメート（図３Ａ及び０．５ｍＭグルタメート）、０．２ｍＭ  ＩＭＰ、及び０．５ｍＭグルタメートプラス０．２ｍＭ  ＩＭＰ（図３Ｂ）に反応して増加する細胞内カルシウムを検定した。ヒトＴ１Ｒ１／Ｔ１Ｒ３用量反応を０．２ｍＭ  ＩＭＰの存在下及び非存在下にグルタメートに対して測定した（図３Ｃ）。反応細胞の最大パーセントはグルタメートに対して約５％そしてグルタメートプラスＩＭＰに対しては約１０％であった。明瞭にするために、用量反応は反応細胞の最大パーセントに対して正規化した。値は４独立試験の平均±ｓ．ｅ．を示す。Ｘ軸の丸印は味覚検査により測定された検出閾値である。
【手続補正３】
【補正対象書類名】明細書
【補正対象項目名】０２３１
【補正方法】変更
【補正の内容】
【０２３１】
【図１Ａ】図１Ａは、ヒトＴ１Ｒ２／Ｔ１Ｒ３受容体の機能的データを示すものであり、特にヒトＴ１Ｒ２，Ｔ１Ｒ３及びＴ１Ｒ２／Ｔ１Ｒ３を一過性に遺伝子導入されＧα１５を安定的に発現するＨＥＫ細胞の種々のスクロース濃度に対する細胞内カルシウム反応を示す。各パネルは約１０００コンフルエント、遺伝子導入、そしてカルシウム色素負荷細胞に相当する。
【図１Ｂ】図１Ｂは、ヒトＴ１Ｒ２／Ｔ１Ｒ３受容体の機能的データを示すものであり、特にＴ１Ｒ２／Ｔ１Ｒ３活性の甘味阻害物質グルマリンによる阻害を示す。
【図１Ｃ】図１Ｃは、ヒトＴ１Ｒ２／Ｔ１Ｒ３受容体の機能的データを示を示すものであり、特に４種の甘味剤に対するＴ１Ｒ２／Ｔ１Ｒ３の容量反応及び対応する精神生理学的検出閾値（Ｘ軸の丸印）を示す。
【図２】図２は、ラットＴ１Ｒ２／Ｔ１Ｒ３受容体の機能データを示す。ヒトＴ１Ｒ２／Ｔ１Ｒ３及びラットＴ１Ｒ２／Ｔ１Ｒ３（並びに混合ラット／ヒト受容体）の３５０ｍＭスクロース、２５ｍＭトリプトファン、１５ｍＭアスパルテーム、及び０．０５％モネリンに対する反応を示す。ラットＴ１Ｒ２／Ｔ１Ｒ３はげっ歯類には美味でないアスパルテームまたはモネリンには反応しない。
【図３Ａ】図３Ａは、ヒトＴ１Ｒ２／Ｔ１Ｒ３受容体の機能的データを示すものであり、特にヒトＴ１Ｒ１，Ｔ１Ｒ３及びＴ１Ｒ１／Ｔ１Ｒ３を一過性に遺伝子導入されＧα１５を安定的に発現するＨＥＫ細胞の種々のＬ−グルタメート濃度に対する細胞内カルシウム反応を示す。
【図３Ｂ】図３Ｂは、ヒトＴ１Ｒ２／Ｔ１Ｒ３受容体の機能的データを示すものであり、特にＴ１Ｒ１／Ｔ１Ｒ３受容体のＩＭＰによる反応を示す。
【図３Ｃ】図３Ｃは、ヒトＴ１Ｒ２／Ｔ１Ｒ３受容体の機能的データを示すものであり、特にＬ−グルタメート及びＬ−グルタメートプラス０．２ｍＭ  ＩＭＰに対するＴ１Ｒ１／Ｔ１Ｒ３の容量反応及び対応する精神生理学的検出閾値（Ｘ軸の丸印）を示す。
【図４Ａ】図４Ａは、ヒトＴ１Ｒ２にＰＤＺＩＰペプチド（ＳＥＱ  ＩＤ  ＮＯ：１）を融合することによりＨＥＫ細胞表面における発現を促進することを示す免疫蛍光を示す。
【図４Ｂ】図４Ｂは、ヒトＴ１Ｒ２にＰＤＺＩＰペプチド（ＳＥＱ  ＩＤ  ＮＯ：１）を融合することによりＨＥＫ細胞表面における発現を促進することを示すＦＡＣＳ実験を示す。
【図５】図５は、安定的にＧα１５及びヒトＴ１Ｒ１／Ｔ１Ｒ３を発現する細胞系の自動化蛍光画像データを示す。Ｌ−グルタメート容量反応は０．５ｍＭ  ＩＭＰの存在下に測定した。
【図６】図６は、安定的にＧα１５及びヒトＴ１Ｒ２／Ｔ１Ｒ３を発現する細胞系の自動化蛍光画像データを示す。安定した細胞系におけるスクロース、Ｄ−トリプトファン、サッカリン及びアスパルテーム容量反応を示す。
【手続補正４】
【補正対象書類名】図面
【補正対象項目名】全図
【補正方法】変更
【補正の内容】
【図１Ａ】
2005500817.tif 000001
【図１Ｂ】
2005500817.tif 000002
【図１Ｃ】
2005500817.tif 000003
【図２】
2005500817.tif 000004
【図３Ａ】
2005500817.tif 000005
【図３Ｂ】
2005500817.tif 000006
【図３Ｃ】
2005500817.tif 000007
【図４Ａ】
2005500817.tif 000008
【図４Ｂ】
2005500817.tif 000009
【図５】
2005500817.tif 000010
【図６】
2005500817.tif 000011
【手続補正書】
【提出日】平成15年8月26日(2003.8.26)
【手続補正１】
【補正対象書類名】明細書
【補正対象項目名】特許請求の範囲
【補正方法】変更
【補正の内容】
【特許請求の範囲】
【請求項１】
次の構造を有する化合物:
2005500812.tif 000001
【請求項２】
次の構造を有する化合物:
2005500812.tif 000002
【請求項３】
次の構造を有する化合物:
2005500812.tif 000003
【請求項４】
配列番号：1のアミノ酸配列を含むペプチドであって、アミノ酸213、214、216、218、および220位が各々L、D、A、M、およびVであるペプチド。
【請求項５】
配列番号：1のアミノ酸配列を含むペプチドであって、アミノ酸213、214、216、218、219、および220位が各々L、D、G、M、Y、およびVであるペプチド。
【請求項６】
配列番号：1のアミノ酸212〜221位からなるペプチド。
【請求項７】
請求項4〜6のいずれか1項記載の化合物を特異的に認識して結合するペプチド。
【請求項８】
被験者に、有効量の請求項4〜6のいずれか1項記載の化合物を送達することを含む、被験者において免疫応答を誘導する方法。
【請求項９】
有効量の請求項7記載の抗体を被験者へ投与する段階を含む、免疫療法の方法。
【請求項１０】
1つまたは複数の免疫原性リガンドを含む組成物であって、該免疫原性リガンドが同一天然リガンドに対する免疫応答を誘発する能力によって個々に特徴付けられており、該免疫原性リガンドが配列番号：3、5、および7からなる群より選択される組成物。
【手続補正書】
【提出日】平成16年8月2日(2004.8.2)
【手続補正１】
【補正対象書類名】特許請求の範囲
【補正対象項目名】全文
【補正方法】変更
【補正の内容】
【特許請求の範囲】
【請求項１】
全部又は一部が空気流に対し低抵抗性のマトリックス（matrix）又は網状に形成された回転式バスケットと、該バスケットに環境温度で直接的に風を供給するための送風ユニットとを含む衣類乾燥機。
【請求項２】
該バスケット又はその一部がステンレス製の円形状に形成されたポールよりなる、請求項１の衣類乾燥機。
【請求項３】
該バスケットが、モータにより稼動され、ドライブベルトにより両方向に回転可能な、請求項１の衣類乾燥機。
【請求項４】
該送風ユニットが、バスケットとキャビネットの間に位置し、フレーム外部より空気をバスケットに供給する、取り外し可能又は固定の送風ユニットである、請求項１の衣類乾燥機。
【請求項５】
該送風ユニットが、バスケット内の衣類に対して蒸発物質を提供するための容器（１７）を含む、請求項１の衣類乾燥機。
【請求項６】
水平ドアとして形成されるフィルタを有するフィルタシステムを含む、請求項１の衣類乾燥機。
【請求項７】
前記送風ユニットの風速が調整可能である、請求項１の衣類乾燥機。
【手続補正書】
【提出日】平成16年6月14日(2004.6.14)
【手続補正１】
【補正対象書類名】特許請求の範囲
【補正対象項目名】全文
【補正方法】変更
【補正の内容】
【特許請求の範囲】
【請求項１】
ボクシング又は格闘技の練習生のための練習用具であって、
練習生が打撃し得る打撃面と、
指導者が両手を挿入することによって、用具を保持し得る保持手段とを備え、
前記保持手段が、指導者の両手をほぼ相互に隣り合って収容するために適した把持手段を備えることからなる練習用具。
【請求項２】
前記練習用具は、使用時、前記指導者の前腕を負傷から保護するためのスリーブを備える請求項１に記載の練習道具。
【請求項３】
前記練習用具は、ほぼ球形、涙滴形、又は洋ナシ形である請求項1又は２に記載の練習道具。
【請求項４】
前記練習用具は、使用時、側方からの打撃を、練習用具の前面に対して角度を為して、受けるために適応している請求項1乃至3のいずれか1項に記載の練習道具。
【請求項５】
前記練習道具は、側方の衝撃を受ける面を備える請求項1乃至４のいずれか1項に記載の練習道具。
【請求項６】
前記練習用具は、前方面、後方面、上面、下面、及び２つの側面を備える請求項1乃至５のいずれか1項に記載の練習道具。
【請求項７】
前記表面は、ほぼ凸状である請求項６に記載の練習道具。
【請求項８】
前記握持手段は、前記通路又は前記各通路の幅に延びた棒を備える請求項1乃至７のいずれか1項に記載の練習道具。
【請求項９】
前記練習用具は、各分割体が開口部の１つを備える、２つの分割体として、実質的に製造される請求項1乃至８のいずれか1項に記載の練習道具。
【請求項１０】
前記棒は、道具の長手方向軸線をほぼ横切った方向に延びる請求項８に記載の練習装置
。
【請求項１１】
ボクシング又は格闘技の練習生のための練習方法であって、
（ｉ）保持手段及び三次元の打撃表面を備える練習用具に２つの手を挿入する工程と、
（ｉｉ）両手をほぼ並べて前記保持手段を握る工程と、
（ｉｉｉ）ボクシング又は格闘技の練習生の高さに保持する工程と、
（ｉｖ）練習生が打撃表面を打撃可能にする工程とからなる方法。
【請求項１２】
前記握った両手は掌同士が対向する請求項１１に記載の練習方法。
【手続補正２】
【補正対象書類名】明細書
【補正対象項目名】０００７
【補正方法】変更
【補正の内容】
【０００７】
本発明の第一の様態によれば、ボクシング、又は格闘技の練習生のための練習用具であって、練習生が打撃し得る打撃面と、指導者が両手を挿入することによって、用具を保持し得るための保持手段とを備え、前記保持手段が、指導者の両手をほぼ相互に隣り合って収容するために適した把持手段を備える練習用具が提供された。
【手続補正書】
【提出日】平成17年4月26日(2005.4.26)
【手続補正１】
【補正対象書類名】特許請求の範囲
【補正対象項目名】請求項５
【補正方法】変更
【補正の内容】
【請求項５】
実行された圧縮ステップ（３０２）を示すためにＵＤＰヘッダーのビット６２〜ビット６９のビットを用いることを特徴とする請求項４に記載の方法。
【手続補正２】
【補正対象書類名】特許請求の範囲
【補正対象項目名】請求項６
【補正方法】変更
【補正の内容】
【請求項６】
ＵＤＰメッセージのヘッダーのビット６２〜６９のうちの少なくとも１つを１に設定するステップを含むことを特徴とする請求項５に記載の方法。
【手続補正３】
【補正対象書類名】特許請求の範囲
【補正対象項目名】請求項７
【補正方法】変更
【補正の内容】
【請求項７】
圧縮ステップが以下の操作：
-  ＳＮＭＰメッセージ全体を読み出す操作（１００）、
-  読み出されたメッセージを１６進フォーマットに符号化する操作（１０２）、及び
-  １６進形式に符号化されたメッセージを圧縮に掛ける操作（１０４）
を含むことを特徴とする、ＳＮＭＰメッセージの転送に適用される請求項１〜６のいずれか一項に記載の方法。
【手続補正４】
【補正対象書類名】特許請求の範囲
【補正対象項目名】請求項８
【補正方法】変更
【補正の内容】
【請求項８】
受信ステップが以下の操作：
-  受信したメッセージを前記圧縮ステップに相補的な解凍ステップに掛ける操作（２０４）であって、それにより解凍ステップに掛けられたメッセージを１６進フォーマットにて得ることが可能となる前記操作、
-  １６進フォーマットから開始して解凍ステップ（２０４）に掛けられたメッセージを復号化する操作（２０２）、及び
-  復号化されたメッセージから開始してＳＮＭＰメッセージ全体を再構築する操作（２００）
を含むことを特徴とする、ＳＮＭＰメッセージの転送に適用される請求項１〜７のいずれか一項に記載の方法。
【手続補正５】
【補正対象書類名】特許請求の範囲
【補正対象項目名】請求項１６
【補正方法】変更
【補正の内容】
【請求項１６】
少なくとも１つのマネージャ装置（Ｍ、Ｍ’）と少なくとも１つのエージェント装置（Ａ、Ａ’）とを備え、メッセージの伝送により少なくとも１つのチャンネル（Ｃ１、Ｃ２）上にて互いに通信し、データ通信ネットワークを管理するためのシステムであって、請求項１〜１５のいずれか一項に基づいた方法により前記メッセージがＵＤＰ上を転送されることを特徴とする前記システム。
【手続補正６】
【補正対象書類名】特許請求の範囲
【補正対象項目名】請求項１７
【補正方法】変更
【補正の内容】
【請求項１７】
デジタルプロセッサの内部メモリ中に直接ロード可能なデータ処理プロダクトであって、該プロダクトがデジタルプロセッサ上にて実行されるとき、請求項１〜１５のいずれか一項に記載の方法を実行すべくソフトウエアコード部を含む前記データ処理プロダクト。
【手続補正書】
【提出日】平成17年3月2日(2005.3.2)
【手続補正１】
【補正対象書類名】特許請求の範囲
【補正対象項目名】全文
【補正方法】変更
【補正の内容】
【特許請求の範囲】
【請求項１】
第１の電極と、
第２の電極と、
前記第１および第２の電極の間に配置され、発光ポリマーが内部に配置された非晶質非ポリマー有機母材を含む発光層と、を含む、エレクトロルミネセンス素子。
【手続補正２】
【補正対象書類名】明細書
【補正対象項目名】発明の名称
【補正方法】変更
【補正の内容】
【発明の名称】エレクトロルミネセンス素子
【手続補正書】
【提出日】平成16年3月5日(2004.3.5)
【手続補正１】
【補正対象書類名】明細書
【補正対象項目名】００５９
【補正方法】変更
【補正の内容】
【００５９】
【図１】列ドライバと行ドライバとを有するメモリ・セル・アレイの断面図。
【図２】図１に示すアレイの上面図。
【図３】本発明によるメモリ・セル素子の模式的上面図。
【図４】本発明によるメモリ素子の第２の実施形態の模式的側面図。
【図５】本発明の第３の実施形態の模式的上面図。
【図６】本発明の第４の実施形態の模式的上面図。
【図７】本発明の第５の実施形態の模式的上面図。
【図８】本発明の第６の実施形態の模式的上面図。
【図９】本発明の第7の実施形態の模式的上面図。
【図１０】本発明の第８の実施形態のセル構造を示す図。
【手続補正書】
【提出日】平成15年11月28日(2003.11.28)
【手続補正１】
【補正対象書類名】特許請求の範囲
【補正対象項目名】請求項１
【補正方法】変更
【補正の内容】
【請求項１】
ディスク・ドライブが上ぶたを有し、ボイス・コイル・モータが透磁性の上部極を有するディスク・ドライブのボイス・コイル・モータ用の梁ダンパであって、上部極と上ぶたの間にあり、
（ａ）実質的に平らなプラットホームと、
（ｂ）プラットホームに対して選定された角度で延び、上部極と係合して、弾力によって上ぶたをボイス・コイル・モータの上部極から離して偏倚する複数の可撓梁と
を備えた梁ダンパ。
【手続補正２】
【補正対象書類名】特許請求の範囲
【補正対象項目名】請求項４
【補正方法】変更
【補正の内容】
【請求項４】
可撓梁がそれぞれ、丸みを帯びた輪郭を有し、この輪郭が、上部極と押圧的に係合するようになった湾曲した接触面を提供する、請求項１に記載の梁ダンパ。
【手続補正３】
【補正対象書類名】特許請求の範囲
【補正対象項目名】請求項６
【補正方法】変更
【補正の内容】
【請求項６】
ハウジングと、
透磁性材料層を含む極を有するボイス・コイル・モータと、
ハウジングと極の間に配置されたボイス・コイル・モータ用の梁ダンパと
を備え、梁ダンパが、
ハウジングと極のうちの選択されたどちらか一方に固定された実質的に平らなプラットホームと、
プラットホームに対する選択された角度でプラットホームから延び、それぞれハウジングと極のうちの残りの一方と係合して、ボイス・コイル・モータに対してハウジングを弾力によって偏倚するいくつかの可撓梁と
を備えた
ディスク・ドライブ。
【手続補正書】
【提出日】平成17年2月9日(2005.2.9)
【手続補正１】
【補正対象書類名】特許請求の範囲
【補正対象項目名】全文
【補正方法】変更
【補正の内容】
【特許請求の範囲】
【請求項１】
基板が複数のバンプを設けた第１基板表面とこれに対向する第２基板表面を有し、
はんだバンプが融解温度を有し、
チップが金属突出部を設けた第１チップ表面とこれと対向する第２チップ表面を有し、
金属突出部が金属キャップで少なくとも部分的に覆われ、金属突出部が主として第１金属からなり、金属キャップが主として第２金属からなるとき、
上記基板を対応する上記チップと位置合わせし、
複数のはんだバンプと複数のバンプ金属突出部とを互いに接触させ、
複数のはんだバンプを融解させるために、複数のはんだバンプを融解温度より高い第１温度まで加熱することを備える方法。
【請求項２】
基板またはチップを第１固定具に配置することであって、
基板またはチップが複数のはんだバンプを有し、
そのはんだバンプは第１温度の融点を有し、
第１固定具が第１温度より低い第２温度に維持されることと、
チップまたは基板の他方を第２固定具に配置することであって、
チップまたは基板の他方が、それに設けられた主に第１金属からなる複数の金属突出部を有し、その複数の突出部は、それぞれ、少なくとも部分的に金属キャップで被覆されており、
金属キャップが主として第２金属からなり、
第１固定具および第２固定具の一方または両方を互いに向かって移動させることによって、複数のはんだバンプを複数の金属突出部と接触させることと、
第１固定具または第２固定具と結合された加熱装置を、第３温度から第４温度まで迅速に加熱することであって、
第３温度が第１温度より低く、
第４温度が第１温度より高いことと、
複数のはんだバンプが融解し、かつ各金属突出部の金属キャップの少なくとも一部を湿潤させるまで、ほぼ第４温度またはそれより高い温度に加熱装置を保持することとを備える方法。
【請求項３】
金属突出部を、チップの活動表面上の電気相互接続パッドに設けることであって、その際、チップが活動表面とその反対側の第２表面を有し、金属突出部が第１金属からなり、かつ表面を有し、耐酸化性金属または金属合金からなる金属キャップが表面の少なくとも一部を覆っており、
鉛のないはんだバンプを基板の状面上の電気相互接続パッドに設けることであって、その際、基板が、上面とその反対側の底面をも有し、はんだバンプが摂氏２００〜２４０度の範囲内にある融解温度を有し、
基板の底面を熱圧縮ボンダのプラテンの上に配置することであって、そのプラテンは融解温度より低い摂氏７０〜１９０度の範囲内にある第１温度に維持され、
チップの第２表面を熱圧縮ボンダのヘッドに固定することであって、そのヘッドが加熱装置を含み、摂氏１２０度より低い第２温度に維持され、
はんだバンプを対応する金属突出部と全体的に位置合わせすることと、
ヘッドを下げて、またはプラテンを上げて、はんだバンプを金属突出部と接触させることと、
はんだバンプと対応する金属突出部とを一緒に保持させるために、接触力を加えることと、
基板の上面が、融解温度より高い第４温度に到達するまで、加熱装置の温度を摂氏２５０〜４００度の範囲内の第３温度まで迅速に上昇させることと、
ある時間の間、上面を第４温度に保持することと
を備えるチップと基板を接合するフリップ・チップ方法。
【請求項４】
主に第１金属からなる複数の金属突出部をチップのチップ表面に設けることと、
複数の金属突出部を少なくとも部分的に、主に第２金属からなる金属キャップで被覆することとを備える方法。
【手続補正書】
【提出日】平成16年4月27日(2004.4.27)
【手続補正１】
【補正対象書類名】明細書
【補正対象項目名】０２０２
【補正方法】変更
【補正の内容】
【０２０２】
【図１Ａ】外部磁気回路が存在しない状態で、磁気装置に作用する内力を、磁石の各々に対する角変位の関数として示す、角変位に対する相対力のプロットを示す図である。
【図１Ｂ】外部磁気回路の存在における図１Ａに類似するプロットを示す図である。
【図２】外部磁気回路からある範囲だけ離れた場合の、角変位に対する相対力を示す、典型的な切り替え可能磁気装置の図３のプロットと同様のプロットを示す図である。
【図３】本発明の第１の態様の特徴についての説明を有する、互いに重ね合わせられた図１及び図２のプロットを示す図である。
【図４Ａ】本発明の第２及び第３の態様の特徴についての説明に必要な力を示す図である。
【図４Ｂ】作動手段としてトルク検知レバーを使用する本発明の実施の形態に関連した角変位に対する力を示す図である。
【図５Ａ】切り替え可能磁気装置の基本構成を示す、特許文献１の図２の複製である。
【図５Ｂ】磁極の代替の形状を示す、本発明の一態様に従った磁気装置の端面図である。
【図６】本発明の実施の形態による切り替え可能磁気装置の部分断面を示す上面図である。
【図７】本発明の第２及び第３の態様による装置の端面図である。
【図８】作動手段としてトルク検知レバーを使用する本発明の実施の形態の断面における上面図である。
【図９】本発明を具体化するフェイルセーフ配置に必要とされる力を示す図である。
【図１０】本発明のある実施の形態による装置の回転角度と外部磁界との間の関係を示す図である。
【図１１Ａ】本発明のある実施の形態による切り替え可能磁気装置を採用する収集トレイを示す図である。
【図１１Ｂ】図１１Ａの収集トレイの土台部分の断面図である。
【図１２Ａ】ロックピンの動作を稼働させる切り替え可能磁気装置を有するラッチ機構を図式的に示す図である。
【図１２Ｂ】ロックピンの動作を稼働させる切り替え可能磁気装置を有するラッチ機構を図式的に示す図である。
【図１３Ａ】切り替え可能磁気装置を採用するラッチ機構の第２の変形例を示す図である。
【図１３Ｂ】切り替え可能磁気装置を採用するラッチ機構の第２の変形例を示す図である。
【図１４Ａ】本発明のある実施の形態による切り替え可能磁気装置を含むラッチ機構のさらなる実施の形態を示す図である。
【図１４Ｂ】本発明のある実施の形態による切り替え可能磁気装置を含むラッチ機構のさらなる実施の形態を示す図である。
【図１５Ａ】切り替え可能磁気装置を組み込む刃物ブロックを示す図である。
【図１５Ｂ】切り替え可能磁気装置を組み込む刃物ブロックを示す図である。
【図１６】切り替え可能磁気装置を含む衛星の方位制御システムの実施の形態の例を示す図である。
【図１７Ａ】切り替え可能磁気装置を含むハイブリッド真空／磁気ホルダの実施の形態を示す図である。
【図１７Ｂ】切り替え可能磁気装置を含むハイブリッド真空／磁気ホルダの実施の形態を示す図である。
【図１８】モジュール構成を有する切り替え可能磁気装置を示す図である。
【図１９】本発明のさらなる態様によるさらなる連結器の動作原理を示す図である。
【図２０】本発明のさらなる態様によるさらなる連結器の動作原理を示す図である。
【図２１】切り替え可能磁気装置を使用する整調可能懸垂アセンブリの図式的な断面図である。
【図２２】切り替え可能磁気装置を有する調整可能ブレーキシステムの第１の実施の形態を示す図である。
【図２３】切り替え可能磁気装置を有する調整可能ブレーキシステムの第２の実施の形態を示す図である。
【手続補正書】
【提出日】平成17年5月6日(2005.5.6)
【手続補正１】
【補正対象書類名】特許請求の範囲
【補正対象項目名】全文
【補正方法】変更
【補正の内容】
【特許請求の範囲】
【請求項１】
ＰＴＨおよびカルシトニンを含んでなる、経口的共投与用組成物。
【請求項２】
カルシトニンがサケカルシトニンである、請求項１に記載の共投与用組成物。
【請求項３】
新生骨形成を刺激するための、ＰＴＨおよびカルシトニンを含んでなる、経口的共投与用組成物。
【請求項４】
カルシトニンがサケカルシトニンである、請求項３に記載の共投与用組成物。
【請求項５】
骨粗しょう症を処置または予防するための、ＰＴＨおよびカルシトニンを含んでなる、経口的共投与用組成物。
【請求項６】
カルシトニンがサケカルシトニンである、請求項５に記載の共投与用組成物。
【請求項７】
ＰＴＨおよびカルシトニンを含んでなる経口投与用組成物。
【請求項８】
ＰＴＨがヒト型のＰＴＨである、請求項７に記載の組成物。
【請求項９】
カルシトニンがサケカルシトニンである、請求項８に記載の組成物。
【請求項１０】
骨形成の刺激のための経口投与可能な医薬の製造のための、ＰＴＨおよびカルシトニンの使用。
【請求項１１】
ＰＴＨがヒト型のＰＴＨである、請求項１０に記載の使用。
【請求項１２】
カルシトニンがサケカルシトニンである、請求項１１に記載の使用。
【請求項１３】
経口投与のための指導書とともに、経口投与に適したＰＴＨおよびカルシトニンを含んでなる、新生骨形成の刺激のためのキット。
【手続補正２】
【補正対象書類名】明細書
【補正対象項目名】０００３
【補正方法】変更
【補正の内容】
【０００３】
主に破骨細胞により媒介される、高カルシウム血症作用が、主に造骨細胞により媒介される、骨形成作用と分離され得るならば、経口的ＰＴＨ治療の治療域(therapeutic window)が広がるであろう。ＰＴＨとは対照的に、カルシトニンは、破骨細胞と直接的に相互作用することにより血清カルシウム濃度を減少させ、これによって、破骨細胞による骨吸収表面積の減少および正味の骨吸収の減少がもたらされる。血漿カルシウム濃度の減少により、対応して尿中カルシウム濃度が減少し、これは腎結石症の既知のリスクファクターである。本発明は、ＰＴＨ投与のための治療域を広げ、そして潜在的に毒性のある高カルシウム血症の副作用なしに、より多い用量のＰＴＨの経口投与を可能にする、ＰＴＨの経口投与法を記載する。
【手続補正３】
【補正対象書類名】明細書
【補正対象項目名】０００５
【補正方法】変更
【補正の内容】
【０００５】
霊長類へのＰＴＨの投与は、血清副甲状腺ホルモンおよび血清カルシウムの血漿濃度の上昇をもたらす。逆に、霊長類へのサケカルシトニン(ｓＣＴ)の投与は、血清ｓＣＴ濃度の上昇および血清カルシウムの減少をもたらす。今回、ＰＴＨおよびカルシトニンの組合せ剤の経口投与が、それぞれの剤の単独投与で得られるのと同様のＰＴＨおよびカルシトニン血漿濃度レベルをもたらすが；極めて驚くべきことに、カルシトニン単独で観察されるレベルまで、血清カルシウム濃度の減少をもたらすことが見出された。実質的に、カルシトニンはＰＴＨの高カルシウム血症作用を打ち消すが、カルシトニンが、単独で、すなわちＰＴＨの不存在下で、投与される場合に得られるのと同じ血清カルシウムの減少をもたらす。ＰＴＨ治療とともにカルシトニンを投与することにより、高カルシウム血症の副作用なしに、現在妨げられているＰＴＨ投与量のさらなる治療効果が可能になる。さらに、カルシトニンは、ＰＴＨの投与に通常伴う骨疼痛の相殺に有用である鎮痛効果を提供する。
【手続補正４】
【補正対象書類名】明細書
【補正対象項目名】００２０
【補正方法】変更
【補正の内容】
【００２０】
液体投与形態には、溶液、エマルジョン、懸濁液、シロップ剤およびエリキシル剤が含まれる。ＰＴＨおよび／またはカルシトニンに加えて、液体製剤には、また、当分野において通常使用される不活性賦形剤、例えばエタノールのような可溶化剤；綿実油、ヒマシ油およびゴマ油のようなオイル；湿潤剤；乳化剤；懸濁化剤；甘味剤；香味剤；および水のような溶媒が含まれ得る。
【手続補正５】
【補正対象書類名】明細書
【補正対象項目名】００３７
【補正方法】変更
【補正の内容】
【００３７】
【表４】
2005500277.tif 000001
【手続補正書】
【提出日】平成15年12月12日(2003.12.12)
【手続補正１】
【補正対象書類名】特許請求の範囲
【補正対象項目名】全文
【補正方法】変更
【補正の内容】
【特許請求の範囲】
【請求項１】
ルシフェリン類またはそのアナログの色素および置換ヒドラジド基を含んでなり、ここで、該ヒドラジド基の１つの窒素原子がカルボニル基または該ルシフェリンもしくは該アナログのカルボニル基と化学的に等価な基に結合されており、該ヒドラジドが、それぞれ独立してＨ、Ｙ、アルキル、アルキル−Ｙ、アリール、アリール−Ｙ、アルキル−アリール、アルキル−アリール−Ｙ、ヘテロアリール、ヘテロアリール−Ｙ、ＯＨ、ＮＨ2 、Ｏ−アルキル、ＮＨ−アルキル、Ｎ（アルキル）2 、Ｏ−アリール、ハロゲンから選択される置換基Ｚ１、Ｚ２、Ｚ３、Ｚ４およびＺ５を含む、および／または炭素環式または複素環式環系の部分としてＺ１〜Ｚ５基の２つ以上を含むフェニル基で置換されており、ここで、Ｙは前記で規定され、Ｙがカップリング基である場合のみ存在する、化学化合物。
【請求項２】
ルシフェリン類の前記色素がジメチルルシフェリンである請求項１記載の化合物。
【請求項３】
前記ヒドラジドがカルボニル基またはチオニル基に連結されている請求項１または２記載の化合物。
【請求項４】
前記ヒドラジドがアルキル、アルキル−Ｙ、アリール、アリール−Ｙ、アルキル−アリール、アルキル−アリール−Ｙ、ヘテロアリール、ヘテロアリール−Ｙ、ここでＹはカップリング基または標識である、で置換されている、請求項１〜３いずれか記載の化合物。
【請求項５】
生体分子および請求項１〜４いずれか記載の化合物を含んでなる結合体。
【請求項６】
試料中の分析物の検出用の特異的結合アッセイにおける請求項５記載の結合体の使用。
【請求項７】
過酸化物の存在下で
ａ）脱離基前駆体が酸化されること、
ｂ）信号放射基前駆体が遊離されること、
ｃ）光が放射されること、および
ｃ）における発光が測定されること
を特徴とする、請求項１〜４いずれか記載の化合物または請求項５記載の結合体を使用してルミネセンス測定を実行する方法。
【手続補正書】
【提出日】平成16年4月20日(2004.4.20)
【手続補正１】
【補正対象書類名】特許請求の範囲
【補正対象項目名】全文
【補正方法】変更
【補正の内容】
【特許請求の範囲】
【請求項１】
アドレナリン作動性アルファ刺激活性を有するアリールアゾ−置換イミダゾールを含有する腹圧性尿失禁の治療用組成物。
【請求項２】
イミダゾールが下記式で示され、ＸがＨまたはハロゲンである、請求項１に記載の組成物。
【化１】
2005500285.tif 000001
【請求項３】
イミダゾールが２−［（５−クロロ−２−メトキシフェニル）アゾ］−１Ｈ−イミダゾールである、請求項１に記載の組成物。
【手続補正書】
【提出日】平成16年3月18日(2004.3.18)
【手続補正１】
【補正対象書類名】明細書
【補正対象項目名】０００２
【補正方法】変更
【補正の内容】
【０００２】
従来の注出蓋装置には種々の種類があり、それらは、設計された適用においては概ね満足できる機能を有する。先行技術によるある種類の注出蓋装置は、容器上部に装着された本体または基部を含み、また、基部または本体に装着された回動可能な注出体も含む。注出体を一方向に回すと注出体が僅かに上昇して、本体または基部における排出穴が開く。注出体を反対方向に回すと、注出体が下降して、排出穴が閉じる。例えば、米国特許第５６８０９６９号に開示された設計を参照。
【手続補正書】
【提出日】平成15年8月28日(2003.8.28)
【手続補正１】
【補正対象書類名】特許請求の範囲
【補正対象項目名】全文
【補正方法】変更
【補正の内容】
【特許請求の範囲】
【請求項１】
洞様毛細血管閉塞症候群（ＳＯＳ）を予防または処置するための医薬の調製における、有効量のマトリクス金属プロテイナーゼ（「ＭＭＰ」）インヒビターの使用。
【請求項２】
前記ＳＯＳが、化学療法誘発性肝疾患または放射線療法誘発性肝疾患である、請求項１に記載の使用。
【請求項３】
前記化学療法誘発性肝臓疾患が、洞様毛細血管閉塞症候群（ＳＯＳ）、結節性再生過形成、肝臓紫斑病、免疫抑制誘発性肝静脈閉塞疾患および洞様毛細血管拡大を含む、請求項２に記載の使用。
【請求項４】
前記マトリクス金属プロテイナーゼインヒビターが、ドキシサイクリンまたは２−[（４−ビフェニルスルホニル）アミノ]−３−フェニル−プロピオン酸である、請求項１〜３のいずれかに記載の使用。
【請求項５】
前記マトリクス金属プロテイナーゼインヒビターが、ドキシサイクリンである、請求項１〜３のいずれかに記載の使用。
【請求項６】
前記有効量が、１５ｍｇ／ｋｇの前記ドキシサイクリンを投与し得る、請求項１〜５のいずれかに記載の使用。
【請求項７】
前記マトリクス金属プロテイナーゼインヒビターが、２−[（４−ビフェニルスルホニル）アミノ]−３−フェニル−プロピオン酸である、請求項４に記載の使用。
【請求項８】
前記有効量が、１００〜２００ｍｇ／時間で前記２−[（４−ビフェニルスルホニル）アミノ]−３−フェニル−プロピオン酸を投与し得る、請求項７に記載の使用。
【請求項９】
前記マトリクス金属プロテイナーゼインヒビターが、Ｍａｒｉｍａｓｔａｔ、Ｐｒｉｎｏｍａｓｔａｔ、ＲＳ−１３０，８３０、（Ｎ−ヒドロキシ−２（Ｒ）−[[４−メトキシスルホニル]（３−ピコリル）アミノ]−３−メチルブテアミドヒドロクロリド）一水和物、Ｓｏｌｏｍａｓｔａｔ、ＢＡＹ  １２−９５６６、（３（Ｒ）（シクロペンチルメチル）−２（Ｒ）−［（３，４，４−トリメチル−２，５−ジオキソ−１−イミダゾリジニル）メチル]−４−オキソ−４−ピペリジノブチロヒドロキサム酸）、ＢＭＳ−２７２５９１、Ｉｌｏｍａｓｔａｔ、Ｄ２１６３、Ｍｅｔａｓｔａｔ、ＮｅｏｖａｓｔａｔまたはＰｅｒｉｏｓｔａｔである、請求項１〜３のいずれかに記載の使用。
【手続補正書】
【提出日】平成16年4月23日(2004.4.23)
【手続補正１】
【補正対象書類名】特許請求の範囲
【補正対象項目名】請求項１
【補正方法】変更
【補正の内容】
【請求項１】
脂質およびタンパク質の汚染物質を沈殿することによる前精製、およびアニオン交換クロマトグラフ材料上に免疫グロブリンを吸着させることを可能にする、アルカリ性ｐＨにて行われる単一アニオン交換クロマトグラフィー工程を含むことで特徴付けられる、血漿または免疫グロブリンを濃縮した血漿画分からの、治療的使用のためのヒト免疫グロブリン濃縮物の調製方法。
【手続補正２】
【補正対象書類名】明細書
【補正対象項目名】００１３
【補正方法】変更
【補正の内容】
【００１３】
本発明による方法は、したがって、血漿またはすでに免疫グロブリンを濃縮した血漿の画分に適用でき、そして、脂質（ｌｉｐｉｄｉｃ）、およびタンパク質（ｐｒｏｔｅｉｃ）の汚染物質の沈殿による前精製、およびアルカリ性ｐＨにて行われ、アニオン交換クロマトグラフ材料上への免疫グロブリンの吸着を可能にする、単一アニオン交換クロマトグラフィー工程を含む。
【手続補正３】
【補正対象書類名】明細書
【補正対象項目名】００１７
【補正方法】変更
【補正の内容】
【００１７】
前記溶出は、免疫グロブリンＧを溶出するため、ｐＨ４〜７の間、好ましくは、ｐＨ６．２のリン酸緩衝液か、または、連続して以下：
―最初に、上記のように免疫グロブリンを溶出し；
―後に、ＩｇＡおよびＩｇＧ４を含む画分を溶出するため、１００〜１７５ｍＭ  ＮａＣｌ、および好ましくは、１５０ｍＭを加えた、ｐＨ６．０〜６．３の前記と同一のリン酸緩衝液を使用すること、
のいずれでも行うことが可能である。
【手続補正４】
【補正対象書類名】明細書
【補正対象項目名】００１９
【補正方法】変更
【補正の内容】
【００１９】
このようにして溶出された免疫グロブリンを、採取し、限外濾過（ｕｌｔｒａｆｉｌｔｅｒａｔｉｏｎ）によって濃縮し、通常の濾過滅菌（ｃｏｎｖｅｎｔｉｏｎａｌ  ｓｔｅｒｉｌｅ  ｆｉｌｔｒａｔｉｏｎ）にかけた後、１００から１５ナノメーターに減少する多孔度のナノメトリックフィルター（ｎａｎｏｍｅｔｒｉｃ  ｆｉｌｔｅｒ）を通す濾過であって、特に、連続して配置され、保持の減少閾値（ｄｅｃｒｅａｓｉｎｇ  ｔｈｒｅｓｈｏｌｄ  ｏｆ  ｒｅｔｅｎｔｉｏｎ）：１００、５０および２０ナノメートルを有する３つのフィルターを用いる濾過にかける。このナノ濾過は、除去される溶媒−界面活性剤処理にウイルス耐性を与える。